(57)【要約】【課題】電気掃除機の吸引パイプの大きさに拘わらず使用可能で、吸引パイプに負担をかけることなく当該吸引パイプに容易に着脱することができ、且つコンパクトに折り畳める害虫捕獲器の提供。【解決手段】害虫捕獲器１０は、フランジ４０が第１姿勢に維持された状態で、電気掃除機の吸引パイプ５１の吸込口５６を覆うように配置される。この状態で電気掃除機の電源が入れられると、電気掃除機の吸引力によって捕獲袋２０が吸引パイプ５１内に配置されるとともにフランジ４０が吸引パイプ５１に当接する。害虫１５は、吸引力によって捕獲袋２０の開口２１内へ吸い込まれ、内奥部２７へと誘導される。害虫１５は、粘着シート３５に粘着して内奥部２７で拘束される。フランジ４０が第１姿勢から第２姿勢へ姿勢変化されることにより、開口２１が閉塞される。【選択図】図１
2010022300.tif 000002
【特許請求の範囲】
【請求項１】
電気掃除機の吸引パイプの吸込口に着脱可能に装着され、上記電気掃除機の吸引力を利用して害虫を捕獲する害虫捕獲器であって、
通気性及び可撓性を有するシートによって開口を有する袋状に形成され、内奥部に粘着材が設けられた捕獲袋と、
上記捕獲袋の上記開口の周縁部に設けられたフランジとを備え、
上記フランジは、曲折部を介して互いに回動可能な一対の板片からなり、当該一対の板片が回動することによって上記開口を開放する第１姿勢と上記開口を閉塞する第２姿勢との間で姿勢変化可能に構成されている害虫捕獲器。
【請求項２】
上記フランジの上記第２姿勢から上記第１姿勢への姿勢変化を規制する規制部材を更に備える請求項１に記載の害虫捕獲器。
【請求項３】
上記捕獲袋は、上記内奥部が上記開口から離れる向きへ弾性変形が可能に構成されている請求項１又は２に記載の害虫捕獲器。
【請求項４】
上記捕獲袋は、上記開口と上記内奥部との間の中間部位がくびれることにより形成された絞り部を有している請求項１から３のいずれかに記載の害虫捕獲器。
【請求項５】
上記絞り部は、上記捕獲袋の内側に筒状部材が配置されることにより形成され、当該筒状部材の内面が平滑面である請求項４に記載の害虫捕獲器。
【請求項６】
上記絞り部は、径方向に弾性変形が可能に構成されている請求項４又は５に記載の害虫捕獲器。
【請求項７】
上記電気掃除機の吸引力によって弾性変形することにより上記絞り部の内側の空間を塞ぐ弾性部材を更に備える請求項４から６のいずれかに記載の害虫捕獲器。
【発明の詳細な説明】
【技術分野】
【０００１】
本発明は、電気掃除機の吸引パイプに着脱自在に装着され、当該電気掃除機の吸引力を利用してゴキブリやアブラムシ等の害虫を捕獲する害虫捕獲器に関する。
【背景技術】
【０００２】
我々の身の回りには、ゴキブリやアブラムシなどの様々な害虫が存在している。これらの害虫を手で触れずに捕獲する方法としては、誘引剤で害虫を誘い込んで粘着テープで捕獲する方法や、害虫へ向けて殺虫剤を噴射する方法などが挙げられるが、なかでも、電気掃除機の吸引力を利用して害虫を捕獲する方法が有効であると考えられている（特許文献１〜３参照。）。
【０００３】
特許文献１に記載の害虫捕獲用袋は、薄い紙或いは薄いプラスチックからなる筒体と、筒体の一端側の開口を覆う網とを有している。この害虫捕獲用袋は、筒体の上記一端側を電気掃除機の吸引パイプ内へ挿し込むことによって吸引パイプに装着される。また、筒体の内面には、粘着材が付着されている。電気掃除機の電源が入れられると、害虫が筒体の他端側の開口から吸い込まれ、網に引っ掛かる。この害虫は、筒体の他端側の開口から這い出そうとするが、筒体の内面に設けられた粘着材によって拘束される。
【０００４】
特許文献２に記載のバキューム害虫捕獲器は、筒体の内側に網が固定されている。筒体が吸引パイプ内へ挿し込まれた状態で電気掃除機の電源が入れられると、害虫が筒体内に吸い込まれて網に引っ掛かる。このバキューム害虫捕獲器は、筒体内の害虫の様子を目視で確認できるように、筒体及び網が透明な部材で構成されている。
【０００５】
特許文献３に記載の捕獲器は、筒体の一端側に半球状の球状部を有している。網は、上記球状部を覆うように配置されている。筒体の他端側が吸引パイプ内に挿し込まれた状態で電気掃除機の電源が入れられると、球状部に害虫が吸い込まれ、その内側において害虫が網に引っ掛かる。
【０００６】
【特許文献１】特開平１０−１７９００１号公報
【特許文献２】実開平７−１８５７７号公報
【特許文献３】特開平１１−２８０４１号公報
【発明の開示】
【発明が解決しようとする課題】
【０００７】
ところで、特許文献１に記載の害虫捕獲器（害虫捕獲用袋）は、筒体を吸引パイプ内に挿入することによって吸引パイプに装着される。その際、筒体を吸引パイプに圧接させるために、害虫捕獲器の使用者は、筒体を吸引パイプ内にある程度強く押し込む必要がある。害虫捕獲器は、害虫が捕獲された後に吸引パイプから取り外されて新しいものに交換されるが、筒体が吸引パイプに圧接しているために、吸引パイプに負担がかかるだけでなく、害虫捕獲器を取り外しにくくなることがあった。すなわち、従来の害虫捕獲器は、吸引パイプに対する着脱が必ずしも容易ではないという問題点があった。
【０００８】
また、特許文献３に記載の害虫捕獲器は、筒体を吸引パイプ内に嵌め込むタイプのものであるため、吸引パイプの大きさによっては使用できないことがあった。すなわち、筒体の外径が吸引パイプの内径に比べて小さい場合には吸引パイプと筒体との間に隙間ができるため、害虫捕獲器を使用することができないという問題点があった。内径寸法の相異なる複数の吸引パイプに装着可能とするために、筒体の外周面にテーパーを設けることが考えられるが、この場合、筒体が長くなり過ぎて害虫捕獲器が大型化するといった別の問題が生じる。
【０００９】
また、害虫捕獲器を商品として販売することや、害虫捕獲器が使用後にゴミ箱に捨てられること等を考えると、害虫捕獲器はコンパクトに折り畳めるものであることが好ましい。しかしながら、特許文献１〜３に記載の害虫捕獲器は、吸引パイプに挿し込まれる筒体が必要であるため、小型化が困難であった。
【００１０】
本発明は、かかる問題に鑑みてなされたものであり、電気掃除機の吸引パイプの大きさに拘わらず使用可能で、吸引パイプに負担をかけることなく当該吸引パイプに容易に着脱することができ、且つコンパクトに折り畳める害虫捕獲器を提供することを目的とする。
【課題を解決するための手段】
【００１１】
(1)  本発明に係る害虫捕獲器は、電気掃除機の吸引パイプの吸込口に着脱可能に装着され、上記電気掃除機の吸引力を利用して害虫を捕獲する害虫捕獲器であって、捕獲袋と、フランジとを備えている。捕獲袋は、通気性及び可撓性を有するシートによって開口を有する袋状に形成されており、内奥部に粘着材が設けられている。フランジは、上記捕獲袋の上記開口の周縁部に設けられている。フランジは、曲折部を介して互いに回動可能な一対の板片からなる。このフランジは、当該一対の板片が回動することによって上記開口を開放する第１姿勢と上記開口を閉塞する第２姿勢との間で姿勢変化可能に構成されている。
【００１２】
害虫捕獲器の使用者は、電気掃除機の電源を入れた後に、フランジが第１姿勢に維持された状態で害虫捕獲器を吸引パイプの吸込口付近に配置する。これにより、電気掃除機の吸引力によって捕獲袋が吸引パイプ内へ引き込まれる。この吸引力が捕獲袋を通じてフランジに作用して、フランジが吸引パイプの吸込口の周縁を覆い当該周縁に当接した状態となる。
【００１３】
害虫捕獲器の使用者が吸引パイプを操作して捕獲袋の開口を害虫に近付けると、害虫が捕獲袋内に吸い込まれる。害虫は、電気掃除機の吸引力によって捕獲袋の内奥部へ誘導され、粘着材に粘着する。このようにして害虫が捕獲された後に、使用者は、一対の板片を回動させてフランジを第１姿勢から第２姿勢へと姿勢変化させる。これにより、捕獲袋の開口が閉塞されるので、万一害虫が粘着材に粘着しなかったとしても、害虫が捕獲袋から這い出すおそれはない。使用者が電気掃除機の電源を切ると上記吸引力がなくなるので、フランジが吸込口の周縁に当接した状態が解除される。このように、フランジは、上記吸引力によって吸引パイプに装着され、吸引力がなくなることによって吸引パイプから容易に外れる。したがって、本発明の害虫捕獲器の着脱は、従来の害虫捕獲器に比べて極めて容易である。また、従来の害虫捕獲器のように装着時に筒体を吸引パイプ内に押し込むといった作業が不要であるため、吸引パイプに負担をかけることもない。
【００１４】
本発明の害虫捕獲器は、電気掃除機の吸引力によって吸引パイプの吸込口に装着されるため、吸引パイプの大きさに拘わらず使用することができる。また、本発明の害虫捕獲器は、吸引パイプ内に挿し込まれる筒体を有しておらず、且つ、捕獲袋が可撓性を有しているので、コンパクトに折り畳むことが可能である。なお、本発明における害虫は、人間の生活に直接または間接的に害を与える昆虫のうち、人間が目視で確認できるゴキブリやアブラムシ等の比較的大きな昆虫である。ただし、本発明の害虫捕獲器は、害虫の捕獲みならず、セミなどの昆虫採集にも利用することが可能である。
【００１５】
(2)  上記フランジの上記第２姿勢から上記第１姿勢への姿勢変化を規制する規制部材を更に備えていてもよい。
【００１６】
規制部材によってフランジが第２姿勢に維持されるので、開口が確実に閉じられる。したがって、捕獲された害虫が捕獲袋から這い出ることが確実に防止される。
【００１７】
(3)  上記捕獲袋は、上記内奥部が上記開口から離れる向きへ弾性変形が可能に構成されていることが好ましい。
【００１８】
電気掃除機の吸引力によって、捕獲袋は、当該捕獲袋の内奥部が開口から離れるように伸張する。捕獲袋の開口から内奥部までの距離が長くなるので、捕獲袋に吸い込まれた害虫が上記吸引力によって加速して粘着材に粘着しやすくなる。また、電気掃除機の電源が切られると、捕獲袋の弾性力によって内奥部が開口と近接する方向へ移動する。したがって、害虫捕獲器の使用者は、フランジが第１姿勢に維持された状態で、害虫が上記内奥部の粘着材に拘束されていることを開口を通じて目視で確認することが可能となる。
【００１９】
(4)  上記捕獲袋は、上記開口と上記内奥部との間の中間部位がくびれることにより形成された絞り部を有していることが好ましい。
【００２０】
絞り部は、害虫が開口から内奥部へ向けて誘導される空間が部分的に狭くなるように構成される。この絞り部の内径は、害虫の大きさに応じて適切な値に設定されている。具体的には、この内径は、標準的な害虫の大きさ（胴回りの長さ）よりも若干小さく設定されている。捕獲袋に吸い込まれた害虫は、絞り部で引っ掛かるが、電気掃除機の吸引力によって強制的に内奥部へと誘導される。万一害虫が粘着材に拘束されなかった場合、害虫は、絞り部の内側を通じて捕獲袋の外へ這い出そうとする。しかしながら、絞り部の内径が前述のように設定されているので、害虫が内奥部から開口へ向けて移動することが効果的に防止される。
【００２１】
(5)  上記絞り部は、上記捕獲袋の内側に筒状部材が配置されることにより形成され、当該筒状部材の内面が平滑面であってもよい。
【００２２】
これにより、害虫が筒状部材の内側を通じて捕獲袋の開口側から内奥部へスムーズに案内される。
【００２３】
(6)  上記絞り部は、径方向に弾性変形が可能に構成されていることが好ましい。
【００２４】
電気掃除機の吸引力によって絞り部が弾性変形して当該絞り部の内径が一時的に大きくなるので、害虫が内奥部へ容易に移動する。この吸引力がなくなると、絞り部の弾性変形が復元し、内奥部側から開口側への害虫の移動が防止される。
【００２５】
(7)  上記電気掃除機の吸引力によって弾性変形することにより上記絞り部の内側の空間を塞ぐ弾性部材を更に備えていてもよい。
【００２６】
害虫捕獲器の使用者は、害虫が捕獲袋の内奥部に捕獲された後に、開口内に弾性部材を投入する。弾性部材は、絞り部の内側の空間よりも大きいものである。弾性部材は、電気掃除機の吸引力によって弾性変形しながら絞り部の内側に進入する。これにより、絞り部の内側の空間が塞がれ、害虫が内奥部に封じ込められる。したがって、万一害虫が粘着材に十分に粘着しなかったとしても、害虫が内奥部から開口付近まで移動することが防止される。
【発明の効果】
【００２７】
本発明によれば、フランジは、第１姿勢に維持された状態で電気掃除機の吸引力によって吸引パイプに装着され、この吸引力がなくなることによって吸引パイプから外れる。したがって、電気掃除機の吸引パイプに対して害虫捕獲器を容易に着脱することができる。つまり、電気掃除機の吸引力によって、害虫の捕獲のみならず害虫捕獲器の着脱が可能である。また、従来の害虫捕獲器のように装着時に筒体を吸引パイプ内に押し込むといった作業が不要であるため、吸引パイプに負担をかけることもない。また、本発明の害虫捕獲器は、電気掃除機の吸引力によって吸引パイプの吸込口に装着されるため、吸引パイプの大きさに拘わらず使用することができる。また、本発明の害虫捕獲器は、吸引パイプ内に挿し込まれる筒体を有しておらず、捕獲袋が可撓性を有しているので、コンパクトに折り畳むことができる。
【発明を実施するための最良の形態】
【００２８】
以下、適宜図面が参照されて、本発明の好ましい実施形態が説明される。なお、本実施形態は本発明の一例にすぎず、本発明の要旨を変更しない範囲で適宜変更され得る。
【００２９】
図１は、本発明の一実施形態に係る害虫捕獲器１０の外観構成を示す模式図であり、フランジ４０が第１姿勢に維持された状態を示す。
【００３０】
［害虫捕獲器１０］
害虫捕獲器１０は、電気掃除機（不図示）の吸引力を利用して害虫１５（図４参照）を捕獲するための道具である。電気掃除機（以下「掃除機」と略称する。）は、一般家庭で使用される周知のものである。図１に示されるように、害虫捕獲器１０は、掃除機の吸引パイプ５１の吸込口５６に装着されて使用される。ここで、害虫１５は、人間の生活に直接または間接的に害を与える昆虫のうち、人間が目視で確認できるゴキブリやアブラムシ等の比較的大きな昆虫である。図１に示されるように、害虫捕獲器１０は、捕獲袋２０（本発明の捕獲袋の一例）と、フランジ４０（本発明のフランジの一例）と、スポンジボール４８（本発明の弾性部材の一例）と、を備えている。
【００３１】
［捕獲袋２０］
図２は、捕獲袋２０の断面構造を示す模式図であり、捕獲袋２０が収縮した状態を示す。なお、図２では、捕獲袋２０の一部及びフランジ４０が省略されている。
【００３２】
捕獲袋２０は、害虫１５を捕獲するためのものである。害虫１５は、掃除機の吸引力によって捕獲袋２０内に吸い込まれ、後述する内奥部２７（本発明の内奥部の一例、図２参照）で拘束される。捕獲袋２０は、例えば布又は紙などのメッシュ状のシート２３が開口２１を有する袋状に形成されたものである。このため、捕獲袋２０は、可撓性を有しており、コンパクトに折り畳むことが可能である。この捕獲袋２０は、外力を受けていない状態において、図１に示されるように、概ねすり鉢形状となるように形成されている。すなわち、捕獲袋２０は、捕獲袋２０内の空間が開口２１から内奥部２７へ向けて徐々に狭くなるような形状に形成されている（図２参照）。これにより、捕獲された害虫１５が内奥部２７へ誘導されやすくなっている。なお、捕獲袋２０の形状はすり鉢形状に限定されるものではなく、例えば内奥部２７を底とする有底筒状に形成されていいてもよい。
【００３３】
捕獲袋２０は、メッシュ状のものであるため、通気性を有している。すなわち、捕獲袋２０には空気を流通させるための通気孔（不図示）が多数設けられている。この通気孔が大きすぎると、害虫１５が通気孔を通り抜けて掃除機本体（不図示）側へ吸い込まれてしまう。逆に、通気孔が小さすぎると、捕獲袋２０内で生じる吸引力が弱くなるので、害虫１５を捕獲しにくくなる。したがって、捕獲袋２０の通気孔の大きさは、これらのことを考慮して適切な大きさに設定されている。
【００３４】
捕獲袋２０の内奥部２７（図２参照）は、捕獲袋２０内に吸い込まれた害虫１５が誘導される部分である。この内奥部２７には、粘着シート３５（本発明の粘着材の一例）が設けられている。粘着シート３５は、害虫捕獲器１０の未使用時にはその粘着面が保護シート（不図示）によって覆われている。これにより、捕獲袋２０が粘着シート３５に粘着することが防止されている。保護シートが剥がされると、粘着シート３５の粘着面が露出される。
【００３５】
図２に示されるように、捕獲袋２０には、収縮材としてのゴム紐２２が編み込まれている。ゴム紐２２は、その一端が捕獲袋２０の開口２１付近に固定され、他端が後述する絞り部３０（本発明の絞り部の一例）付近に固定されている。ゴム紐２２は、内奥部２７が第１向き１７（図２参照）へ移動したときに伸張することで、内奥部２７を開口２１側へ引き寄せる弾性力を蓄える。ここで、第１向き１７は、内奥部２７が開口２１から離れる向きである。ゴム紐２２は、内奥部２７に対する外力が除かれたときに収縮することで、内奥部２７を開口２１側へ引き寄せる。このように、捕獲袋２０は、第１向き１７へ弾性変形が可能に構成されている。
【００３６】
図２に示されるように、捕獲袋２０の開口２１（図１参照）と内奥部２７との間の中間部位には、絞り部３０が設けられている。ここでの中間部位は、開口２１と内奥部２７との中間位置に限定されるものではなく、本実施形態のように内奥部２７寄りの位置であってもよいし、開口２１寄りの位置であってもよい。絞り部３０は、本実施形態では、捕獲袋２０の内側に筒状部材３４（本発明の筒状部材の一例）が配置されることによって形成されている。捕獲袋２０は、例えば接着剤などによって筒状部材３４の外周面に固定されている。筒状部材３４は、大径部３１、小径部３２、及び大径部３３を有している。小径部３２の内径は、大径部３１の内径及び大径部３３の内径よりも小さく設定されている。このような筒状部材３４が捕獲袋２０の内側に配置されることにより、絞り部３０は、くびれるように形成されている。なお、小径部３２の内径は、害虫１５が容易に通過しない程度の大きさに設定されている。すなわち、小径部３２の周方向の長さが害虫１５の胴回りの長さよりも小さくなるように設定されている。この小径部３２の内面３７は、平滑面に形成されている。
【００３７】
絞り部材３０は、本実施形態ではゴムで構成されており、弾性変形が可能である。このため、絞り部材３０は、掃除機の吸引力を受けて小径部３２の内径が大きくなるように弾性変形する。すなわち、絞り部材３０は、径方向１８（図２参照）への弾性変形が可能である。ここで、径方向１８は、絞り部材３０の小径部３２が拡径する方向である。
【００３８】
［フランジ４０］
図３は、フランジ４０の平面図である。
【００３９】
捕獲袋２０の開口２１の周縁部は、例えば接着剤によってフランジ４０に固定されている。フランジ４０は、厚紙が中空の円盤状に形成されたものである。このフランジ４０は、害虫捕獲器１０を吸引パイプ５１に装着するためのものである。フランジ４０の内径寸法は、吸引パイプ５１の吸込口５６（図１参照）の内径寸法よりも若干小さく設定されている。フランジ４０の外径寸法は、吸込口５６の外径寸法よりも若干大きく設定されている。このため、フランジ４０が後述する第１姿勢に維持された状態（図１参照）では、吸引パイプ５１の吸込口５６がフランジ４０によって覆われる（図４参照）。
【００４０】
なお、フランジ４０は、その内径寸法が吸込口５６の外径寸法よりも大きく設定されていてもよい。また、本実施形態では、フランジ４０が円盤状のものである場合について説明するが、フランジ４０の形状はこれに限定されるものではない。フランジ４０は、例えば中空の矩形状のものであってもよい。
【００４１】
フランジ４０は、第１部位４１（本発明の一対の板片の一方）及び第２部位４２（本発明の一対の板片の他方）からなる。第１部位４１と第２部位４２とは、曲折部４４（本発明の曲折部の一例）を介して連続している。この曲折部４４には、ミシン目線が形成されているので、第１部位４１及び第２部位４２は、曲折部４４を介して互いに回動可能である。このため、フランジ４０は、第１姿勢（図１参照）と第２姿勢（図６参照）との間で姿勢変化が可能である。フランジ４０が第１姿勢に維持された状態では、捕獲袋２０の開口２１が開放される。フランジ４０は、第１部位４１と第２部位４２とが互いに当接するように曲折部４４で回動される（折り曲げられる）ことによって第２姿勢となる。フランジ４０が第２姿勢に維持された状態では、捕獲袋２０の開口２１がフランジ４０によって閉塞される。
【００４２】
第１部位４１の表面には、粘着シート４７（本発明の規制部材の一例）が設けられている。この粘着シート４７は、第１部位４１の表面のほぼ全域にわたって設けられている。粘着シート４７の粘着面は、害虫捕獲器１０の未使用時には保護シート（不図示）で覆われている。この保護シートが剥がされることにより、粘着シート４７の粘着面が露出される。この状態でフランジ４０が第１姿勢から第２姿勢へと姿勢変化されると、第１部位４１と第２部位４２とが固定される（図６参照）。これにより、フランジ４０の第２姿勢から第１姿勢への姿勢変化が規制される。
【００４３】
［スポンジボール４８］
スポンジボール４８（図１参照）は、捕獲された害虫１５が捕獲袋２０から這い出すことを防止するためのものである。スポンジボール４８は、本実施形態では、弾性変形が可能なスポンジが球形状に形成されたものである。このため、スポンジボール４８は、通気性を有している。スポンジボール４８は、絞り部材３０の内側の空間よりも若干大きくなるように構成されている。
【００４４】
［害虫捕獲器１０の使用方法］
以下、害虫捕獲器１０の使用方法について説明する。図４は、吸引パイプ５１を示す模式図であり、害虫捕獲器１０が装着された状態を示す。図５は、捕獲袋２０の断面構造を示す模式図であり、捕獲袋２０が伸張した状態を示す。図６は、害虫捕獲器１０の外観構成を示す模式図であり、フランジ４０が第２姿勢に維持された状態を示す。なお、図５では、捕獲袋２０の一部、ゴム紐２２、及びフランジ４０が省略されている。
【００４５】
害虫捕獲器１０の使用者（以下、単に「使用者」という。）は、粘着シート３５及び粘着シート４７の保護シートを剥がす。これにより、粘着シート３５及び粘着シート４７の粘着面が露出される。次に、使用者は、掃除機の電源を入れる。これにより、吸引パイプ５１内に吸引力が発生する。使用者は、フランジ４０が第１姿勢に維持された状態で吸引パイプ５１の吸込口５６を覆うように害虫捕獲器１０を配置する。これにより、捕獲袋２０が掃除機の吸引力を受けて吸引パイプ５１内へ引き込まれる。この吸引力は捕獲袋２０を介してフランジ４０に作用するので、フランジ４０は、吸引パイプ５１の吸込口５６の周縁に当接した状態となる（図４参照）。このように、害虫捕獲器１０は、掃除機の吸引力によって吸引パイプ５１の吸込口５６に装着される。
【００４６】
捕獲袋２０にはゴム紐２２が設けられているので、捕獲袋２０は、掃除機の吸引力を受けて内奥部２７が開口２１から離れるように伸張する（図５参照）。これにより、捕獲袋２０の開口２１から内奥部２７までの距離が長くなる。また、掃除機の吸引力によって絞り部材３０の小径部３２の内径が一時的に大きくなる。
【００４７】
使用者が吸引パイプ５１を操作して害虫捕獲器１０の開口２１を害虫１５に近付けると、害虫１５が捕獲袋２０の開口２１内へ吸い込まれる。捕獲袋２０の開口２１から内奥部２７までの距離が長くなっているので、害虫１５は、捕獲袋２０内を加速しながら内奥部２７へと誘導される。その際、絞り部材３０の小径部３２の内径が一時的に大きくなっており、且つ小径部３２の内面３７が平滑面であるため、害虫１５は、絞り部材３０に引っ掛かることなく内奥部２７へと円滑に誘導される。この内奥部２７には粘着シート３５が設けられているので、害虫１５は、粘着シート３５に粘着することによって内奥部２７に拘束される。
【００４８】
このようにして害虫１５が内奥部２７に捕獲された後に、使用者は、開口２１内にスポンジボール４８（図１参照）を投入する。スポンジボール４８は、掃除機の吸引力によって弾性変形しながら絞り部材３０の内側を通過して内奥部２７に進入する。これにより、害虫１５が内奥部２７の粘着シート３５に押し付けられるとともに、絞り部材３０の内側の空間が塞がれて害虫１５が内奥部２７に封じ込められる（図５参照）。したがって、害虫１５の動きにより使用者にとって不快な音がすることがない。また、万一害虫１５が粘着シート３５に十分に粘着しなかったとしても、害虫１５が内奥部２７から開口２１付近まで移動することが防止される。なお、絞り部材３０の内側がスポンジボール４８で塞がれるが、スポンジボール４８は通気性を有しているので、吸引パイプ５１が詰まって掃除機に負担がかかることはない。
【００４９】
このようにして害虫１５が内奥部２７に拘束された後に、使用者は、フランジ４０を第１姿勢（図４参照）から第２姿勢（図６参照）へと姿勢変化させる。すなわち、使用者は、第１部位４１の表面と第２部位４２の表面とが当接するように、フランジ４０を曲折部４４で折り曲げる。これにより、第１部位４１と第２部位４２とが粘着シート４７で固定され、フランジ４０の第２姿勢から第１姿勢への姿勢変化が規制される。その結果、捕獲袋２０の開口２１が確実に閉塞されるので、万一害虫１５が内奥部２７を抜け出して開口２１付近まで移動したとしても、害虫１５が捕獲袋２０から這い出すことはない。
【００５０】
使用者が掃除機の電源を切ることにより、掃除機の吸引力がなくなる。これにより、フランジ４０を吸込口５６の周縁に押し付ける力がなくなるので、害虫捕獲器１０は吸引パイプ５１から容易に外れる。また、掃除機の吸引力がなくなると、径方向１８へ拡径していた絞り部材３０の小径部３２の内径が元に戻る。これにより、小径部３２の周方向の長さが害虫１５の胴回りの長さよりも小さくなるので、内奥部２７側から開口２１側への害虫１５の移動が防止される。
【００５１】
なお、使用者は、スポンジボール４８を投入せず、フランジ４０を第１姿勢から第２姿勢へと姿勢変化させる前に掃除機の電源を切ってもよい。掃除機の電源が切られると、ゴム紐２２の弾性力によって内奥部２７が開口２１と近接する方向へ移動する。したがって、使用者は、フランジ４０が第１姿勢に維持された状態で、内奥部２７に害虫１５が拘束されていることを目視で確認することができる。
【００５２】
図７は、紐４６を備える害虫捕獲器１０の外観構成を示す模式図であり、フランジ４０が第２姿勢に維持された状態を示す。
【００５３】
図７に示されるように、フランジ４０に紐４６が設けられていてもよい。紐４６の両端は、第１部位４１及び第２部位４２の裏面に例えば接着剤でそれぞれ固定されている。使用者は、掃除機の電源を切った後に紐４６を掴んで、捕獲袋２０やフランジ４０に触れることなく害虫捕獲器１０をゴミ箱に捨てることができる。
【００５４】
［本実施形態の作用効果］
以上説明したように、害虫捕獲器１０は、掃除機の吸引力によって吸引パイプ５１に装着され、この吸引力がなくなることによって吸引パイプ５１から外れる。したがって、害虫捕獲器１０の着脱は、従来の害虫捕獲器に比べて極めて容易である。つまり、害虫捕獲器１０は、掃除機の吸引力を利用して、害虫の捕獲のみならず吸引パイプ５１への着脱が可能である。
【００５５】
また、害虫捕獲器１０は、従来の害虫捕獲器のように装着時に筒体を吸引パイプ５１内に押し込むといった作業が不要であるため、吸引パイプ５１に負担をかけることがない。
【００５６】
また、害虫捕獲器１０は、掃除機の吸引力によって吸引パイプ５１の吸込口５６に装着されるため、吸引パイプ５１の大きさ（内径寸法）に拘わらず使用することができる。また、害虫捕獲器１０は、筒体を吸引パイプ５１内に嵌め込むタイプのものではないため、吸込口５６が円形でなくても使用することができる。
【００５７】
また、害虫捕獲器１０は、吸引パイプ５１内に挿し込まれる筒体を有しておらず、且つ、捕獲袋２０が可撓性を有しているので、コンパクトに折り畳むことができる。
【００５８】
また、害虫捕獲器１０は、掃除機の電源を入れたまま開口２１を閉じることができるので、開口２１を介して害虫１５が逃げ出すことを確実に防止することができる。
【００５９】
なお、害虫捕獲器１０は、捕獲袋２０に代えて捕獲袋６０（本発明の捕獲袋の一例）を備えていていてもよい。図８は、捕獲袋６０の断面構造を示す模式図であり、（Ａ）は捕獲袋６０が収縮した状態を示し、（Ｂ）は捕獲袋６０が伸張した状態を示す。なお、図８では、フランジ４０が省略されている。
【００６０】
捕獲袋６０は、第１向き１７へ弾性変形が可能な蛇腹形状に形成されている。ここでの第１向き１７は、内奥部６７（本発明の内奥部の一例）が開口２１から離れる向きである。捕獲袋６０は合成樹脂で構成されており、例えばブロー成形により形成され得る。
【００６１】
図８（Ａ）に示されるように、捕獲袋６０は、外力を受けていない状態では、内奥部２７が開口２１と近接するように収縮している。使用者が掃除機の電源を入れることにより、内奥部６７が掃除機の吸引力を受けて開口２１から離れる向き（図８の右向き）へ移動する（図８（Ｂ）参照）。これにより、捕獲袋２０は、内奥部６７を開口２１へ近付ける向き（図８の左向き）への弾性力を蓄える。掃除機の電源が切られると、捕獲袋６０は、蓄えた弾性力によって元の形状に復帰してコンパクトになる。
【００６２】
なお、本発明は、前述の実施形態に限定されるものではなく、以下の形態であってもよい。すなわち、本実施形態では、第１部位４１及び第２部位４２が粘着シート４７によって固定される形態について説明したが、第１部位４１と第２部位４２とが他の規制部材（例えば洗濯バサミ）によって固定されてもよい。この場合、洗濯バサミを外すことによってフランジ４０の第２姿勢から第１姿勢への姿勢変化が可能となるため、害虫捕獲器１０を再利用することができる。
【００６３】
また、本実施形態では、フランジ４０が厚紙で構成されている場合について説明したが、これに代えて、本発明のフランジが金属で構成されていてもよい。この場合、本発明の第１部位、第２部位、及び規制部材をいわゆるがま口のように構成することで、フランジの第２姿勢から第１姿勢への姿勢変化を規制することが可能である。
【００６４】
また、捕獲袋２０は、必ずしも第１向き１７へ弾性変形が可能に構成されていなくてもよい。この場合、捕獲袋２０にゴム紐２２を編み込む必要がないため、害虫捕獲器１０をより安価に製造することができる。
【００６５】
本実施形態では、捕獲袋２０の内側に絞り部材３０が設けられている形態について説明したが、害虫１５を通過させるための空間を残して、捕獲袋２０の開口２１と内奥部２７との間を紐で縛るといった方法で本発明の絞り部が構成されてもよい。つまり、シート２３と紐で絞り部を構成してもよい。この場合、害虫捕獲器１０をさらに安価に製造することができる。
【００６６】
また、害虫捕獲器１０が装着される掃除機は、商用電源によって駆動するものに限定されるものではない。すなわち、掃除機は、例えば屋外でも使用可能な充電式の片手持ち運び型のものであってもよい。害虫捕獲器１０をこのような掃除機に装着すれば、害虫捕獲器１０を例えばセミ取りなどの昆虫採集に使用することも可能である。この場合、捕獲した虫を捕獲袋２０から取り出せるように、内奥部２７に粘着シート３５を設けないようにすることが好ましい。
【図面の簡単な説明】
【００６７】
【図１】図１は、本発明の一実施形態に係る害虫捕獲器１０の外観構成を示す模式図であり、フランジ４０が第１姿勢に維持された状態を示す。
【図２】図２は、捕獲袋２０の断面構造を示す模式図であり、捕獲袋２０が収縮した状態を示す。
【図３】図３は、フランジ４０の平面図である。
【図４】図４は、吸引パイプ５１を示す模式図であり、害虫捕獲器１０が装着された状態を示す。
【図５】図５は、捕獲袋２０の断面構造を示す模式図であり、捕獲袋２０が伸張した状態を示す。
【図６】図６は、害虫捕獲器１０の外観構成を示す模式図であり、フランジ４０が第２姿勢に維持された状態を示す。
【図７】図７は、紐４６を備える害虫捕獲器１０の外観構成を示す模式図であり、フランジ４０が第２姿勢に維持された状態を示す。
【図８】図８は、捕獲袋６０の断面構造を示す模式図であり、（Ａ）は捕獲袋６０が収縮した状態を示し、（Ｂ）は捕獲袋６０が伸張した状態を示す。
【符号の説明】
【００６８】
１０・・・害虫捕獲器（本発明の害虫捕獲器の一例）
１５・・・害虫
１７・・・第１向き
１８・・・径方向
２０，６０・・・捕獲袋
２１・・・開口
２３・・・シート
２７，６７・・・内奥部
３０・・・絞り部材（本発明の絞り部の一例）
３４・・・筒状部材
３５・・・粘着シート（本発明の粘着材の一例）
３７・・・内面
４０・・・フランジ
４１・・・第１部位（本発明の一対の板片の一方）
４２・・・第２部位（本発明の一対の板片の他方）
４４・・・曲折部（本発明の曲折部の一例）
４７・・・粘着シート（本発明の規制部材の一例）
４８・・・スポンジボール（本発明の弾性部材の一例）
５１・・・吸引パイプ
５６・・・吸込口
【図１】
2010022300.tif 000003
【図２】
2010022300.tif 000004
【図３】
2010022300.tif 000005
【図４】
2010022300.tif 000006
【図５】
2010022300.tif 000007
【図６】
2010022300.tif 000008
【図７】
2010022300.tif 000009
【図８】
2010022300.tif 000010
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
電気掃除機の吸引パイプの吸込口に着脱可能に装着され、上記電気掃除機の吸引力を利用して害虫を捕獲する害虫捕獲器であって、
通気性及び可撓性を有するシートによって開口を有する袋状に形成され、内奥部に粘着材が設けられた捕獲袋と、
上記捕獲袋の上記開口の周縁部に設けられたフランジとを備え、
上記フランジは、曲折部を介して互いに回動可能な一対の板片からなり、当該一対の板片が回動することによって上記開口を開放する第１姿勢と上記開口を閉塞する第２姿勢との間で姿勢変化可能に構成されており、
上記捕獲袋は、上記内奥部が上記開口から離れる向きへ弾性変形が可能に構成されている害虫捕獲器。
【請求項２】
上記フランジの上記第２姿勢から上記第１姿勢への姿勢変化を規制する規制部材を更に備える請求項１に記載の害虫捕獲器。
【請求項３】
上記捕獲袋は、上記開口と上記内奥部との間の中間部位がくびれることにより形成された絞り部を有している請求項１又は２に記載の害虫捕獲器。
【請求項４】
上記絞り部は、上記捕獲袋の内側に筒状部材が配置されることにより形成され、当該筒状部材の内面が平滑面である請求項３に記載の害虫捕獲器。
【請求項５】
上記絞り部は、径方向に弾性変形が可能に構成されている請求項３又は４に記載の害虫捕獲器。
【請求項６】
上記電気掃除機の吸引力によって弾性変形することにより上記絞り部の内側の空間を塞ぐ弾性部材を更に備える請求項３から５のいずれかに記載の害虫捕獲器。
【手続補正２】
【補正対象書類名】明細書
【補正対象項目名】全文
【補正方法】変更
【補正の内容】
【発明の詳細な説明】
【技術分野】
【０００１】
本発明は、電気掃除機の吸引パイプに着脱自在に装着され、当該電気掃除機の吸引力を利用してゴキブリやアブラムシ等の害虫を捕獲する害虫捕獲器に関する。
【背景技術】
【０００２】
我々の身の回りには、ゴキブリやアブラムシなどの様々な害虫が存在している。これらの害虫を手で触れずに捕獲する方法としては、誘引剤で害虫を誘い込んで粘着テープで捕獲する方法や、害虫へ向けて殺虫剤を噴射する方法などが挙げられるが、なかでも、電気掃除機の吸引力を利用して害虫を捕獲する方法が有効であると考えられている（特許文献１〜３参照。）。
【０００３】
特許文献１に記載の害虫捕獲用袋は、薄い紙或いは薄いプラスチックからなる筒体と、筒体の一端側の開口を覆う網とを有している。この害虫捕獲用袋は、筒体の上記一端側を電気掃除機の吸引パイプ内へ挿し込むことによって吸引パイプに装着される。また、筒体の内面には、粘着材が付着されている。電気掃除機の電源が入れられると、害虫が筒体の他端側の開口から吸い込まれ、網に引っ掛かる。この害虫は、筒体の他端側の開口から這い出そうとするが、筒体の内面に設けられた粘着材によって拘束される。
【０００４】
特許文献２に記載のバキューム害虫捕獲器は、筒体の内側に網が固定されている。筒体が吸引パイプ内へ挿し込まれた状態で電気掃除機の電源が入れられると、害虫が筒体内に吸い込まれて網に引っ掛かる。このバキューム害虫捕獲器は、筒体内の害虫の様子を目視で確認できるように、筒体及び網が透明な部材で構成されている。
【０００５】
特許文献３に記載の捕獲器は、筒体の一端側に半球状の球状部を有している。網は、上記球状部を覆うように配置されている。筒体の他端側が吸引パイプ内に挿し込まれた状態で電気掃除機の電源が入れられると、球状部に害虫が吸い込まれ、その内側において害虫が網に引っ掛かる。
【０００６】
【特許文献１】特開平１０−１７９００１号公報
【特許文献２】実開平７−１８５７７号公報
【特許文献３】特開平１１−２８０４１号公報
【発明の開示】
【発明が解決しようとする課題】
【０００７】
ところで、特許文献１に記載の害虫捕獲器（害虫捕獲用袋）は、筒体を吸引パイプ内に挿入することによって吸引パイプに装着される。その際、筒体を吸引パイプに圧接させるために、害虫捕獲器の使用者は、筒体を吸引パイプ内にある程度強く押し込む必要がある。害虫捕獲器は、害虫が捕獲された後に吸引パイプから取り外されて新しいものに交換されるが、筒体が吸引パイプに圧接しているために、吸引パイプに負担がかかるだけでなく、害虫捕獲器を取り外しにくくなることがあった。すなわち、従来の害虫捕獲器は、吸引パイプに対する着脱が必ずしも容易ではないという問題点があった。
【０００８】
また、特許文献３に記載の害虫捕獲器は、筒体を吸引パイプ内に嵌め込むタイプのものであるため、吸引パイプの大きさによっては使用できないことがあった。すなわち、筒体の外径が吸引パイプの内径に比べて小さい場合には吸引パイプと筒体との間に隙間ができるため、害虫捕獲器を使用することができないという問題点があった。内径寸法の相異なる複数の吸引パイプに装着可能とするために、筒体の外周面にテーパーを設けることが考えられるが、この場合、筒体が長くなり過ぎて害虫捕獲器が大型化するといった別の問題が生じる。
【０００９】
また、害虫捕獲器を商品として販売することや、害虫捕獲器が使用後にゴミ箱に捨てられること等を考えると、害虫捕獲器はコンパクトに折り畳めるものであることが好ましい。しかしながら、特許文献１〜３に記載の害虫捕獲器は、吸引パイプに挿し込まれる筒体が必要であるため、小型化が困難であった。
【００１０】
本発明は、かかる問題に鑑みてなされたものであり、電気掃除機の吸引パイプの大きさに拘わらず使用可能で、吸引パイプに負担をかけることなく当該吸引パイプに容易に着脱することができ、且つコンパクトに折り畳める害虫捕獲器を提供することを目的とする。
【課題を解決するための手段】
【００１１】
(1)  本発明に係る害虫捕獲器は、電気掃除機の吸引パイプの吸込口に着脱可能に装着され、上記電気掃除機の吸引力を利用して害虫を捕獲する害虫捕獲器であって、捕獲袋と、フランジとを備えている。捕獲袋は、通気性及び可撓性を有するシートによって開口を有する袋状に形成されており、内奥部に粘着材が設けられている。フランジは、上記捕獲袋の上記開口の周縁部に設けられている。フランジは、曲折部を介して互いに回動可能な一対の板片からなる。このフランジは、当該一対の板片が回動することによって上記開口を開放する第１姿勢と上記開口を閉塞する第２姿勢との間で姿勢変化可能に構成され、上記捕獲袋は、上記内奥部が上記開口から離れる向きへ弾性変形が可能に構成されている。
【００１２】
害虫捕獲器の使用者は、電気掃除機の電源を入れた後に、フランジが第１姿勢に維持された状態で害虫捕獲器を吸引パイプの吸込口付近に配置する。これにより、電気掃除機の吸引力によって捕獲袋が吸引パイプ内へ引き込まれる。この吸引力が捕獲袋を通じてフランジに作用して、フランジが吸引パイプの吸込口の周縁を覆い当該周縁に当接した状態となる。
【００１３】
害虫捕獲器の使用者が吸引パイプを操作して捕獲袋の開口を害虫に近付けると、害虫が捕獲袋内に吸い込まれる。害虫は、電気掃除機の吸引力によって捕獲袋の内奥部へ誘導され、粘着材に粘着する。このようにして害虫が捕獲された後に、使用者は、一対の板片を回動させてフランジを第１姿勢から第２姿勢へと姿勢変化させる。これにより、捕獲袋の開口が閉塞されるので、万一害虫が粘着材に粘着しなかったとしても、害虫が捕獲袋から這い出すおそれはない。使用者が電気掃除機の電源を切ると上記吸引力がなくなるので、フランジが吸込口の周縁に当接した状態が解除される。このように、フランジは、上記吸引力によって吸引パイプに装着され、吸引力がなくなることによって吸引パイプから容易に外れる。したがって、本発明の害虫捕獲器の着脱は、従来の害虫捕獲器に比べて極めて容易である。また、従来の害虫捕獲器のように装着時に筒体を吸引パイプ内に押し込むといった作業が不要であるため、吸引パイプに負担をかけることもない。
【００１４】
本発明の害虫捕獲器は、電気掃除機の吸引力によって吸引パイプの吸込口に装着されるため、吸引パイプの大きさに拘わらず使用することができる。また、本発明の害虫捕獲器は、吸引パイプ内に挿し込まれる筒体を有しておらず、且つ、捕獲袋が可撓性を有しているので、コンパクトに折り畳むことが可能である。
【００１５】
さらに、上記捕獲袋は、上記内奥部が上記開口から離れる向きへ弾性変形が可能に構成されているので、電気掃除機の吸引力によって、捕獲袋は、当該捕獲袋の内奥部が開口から離れるように伸張する。捕獲袋の開口から内奥部までの距離が長くなるので、捕獲袋に吸い込まれた害虫が上記吸引力によって加速して粘着材に粘着しやすくなる。また、電気掃除機の電源が切られると、捕獲袋の弾性力によって内奥部が開口と近接する方向へ移動する。したがって、害虫捕獲器の使用者は、フランジが第１姿勢に維持された状態で、害虫が上記内奥部の粘着材に拘束されていることを開口を通じて目視で確認することが可能となる。
【００１６】
なお、本発明における害虫は、人間の生活に直接または間接的に害を与える昆虫のうち、人間が目視で確認できるゴキブリやアブラムシ等の比較的大きな昆虫である。ただし、本発明の害虫捕獲器は、害虫の捕獲みならず、セミなどの昆虫採集にも利用することが可能である。
【００１７】
(2)  上記フランジの上記第２姿勢から上記第１姿勢への姿勢変化を規制する規制部材を更に備えていてもよい。
【００１８】
規制部材によってフランジが第２姿勢に維持されるので、開口が確実に閉じられる。したがって、捕獲された害虫が捕獲袋から這い出ることが確実に防止される。
【００１９】
(3)  上記捕獲袋は、上記開口と上記内奥部との間の中間部位がくびれることにより形成された絞り部を有していることが好ましい。
【００２０】
絞り部は、害虫が開口から内奥部へ向けて誘導される空間が部分的に狭くなるように構成される。この絞り部の内径は、害虫の大きさに応じて適切な値に設定されている。具体的には、この内径は、標準的な害虫の大きさ（胴回りの長さ）よりも若干小さく設定されている。捕獲袋に吸い込まれた害虫は、絞り部で引っ掛かるが、電気掃除機の吸引力によって強制的に内奥部へと誘導される。万一害虫が粘着材に拘束されなかった場合、害虫は、絞り部の内側を通じて捕獲袋の外へ這い出そうとする。しかしながら、絞り部の内径が前述のように設定されているので、害虫が内奥部から開口へ向けて移動することが効果的に防止される。
【００２１】
(4)  上記絞り部は、上記捕獲袋の内側に筒状部材が配置されることにより形成され、当該筒状部材の内面が平滑面であってもよい。
【００２２】
これにより、害虫が筒状部材の内側を通じて捕獲袋の開口側から内奥部へスムーズに案内される。
【００２３】
(5)  上記絞り部は、径方向に弾性変形が可能に構成されていることが好ましい。
【００２４】
電気掃除機の吸引力によって絞り部が弾性変形して当該絞り部の内径が一時的に大きくなるので、害虫が内奥部へ容易に移動する。この吸引力がなくなると、絞り部の弾性変形が復元し、内奥部側から開口側への害虫の移動が防止される。
【００２５】
(6)  上記電気掃除機の吸引力によって弾性変形することにより上記絞り部の内側の空間を塞ぐ弾性部材を更に備えていてもよい。
【００２６】
害虫捕獲器の使用者は、害虫が捕獲袋の内奥部に捕獲された後に、開口内に弾性部材を投入する。弾性部材は、絞り部の内側の空間よりも大きいものである。弾性部材は、電気掃除機の吸引力によって弾性変形しながら絞り部の内側に進入する。これにより、絞り部の内側の空間が塞がれ、害虫が内奥部に封じ込められる。したがって、万一害虫が粘着材に十分に粘着しなかったとしても、害虫が内奥部から開口付近まで移動することが防止される。
【発明の効果】
【００２７】
本発明によれば、フランジは、第１姿勢に維持された状態で電気掃除機の吸引力によって吸引パイプに装着され、この吸引力がなくなることによって吸引パイプから外れる。したがって、電気掃除機の吸引パイプに対して害虫捕獲器を容易に着脱することができる。つまり、電気掃除機の吸引力によって、害虫の捕獲のみならず害虫捕獲器の着脱が可能である。また、従来の害虫捕獲器のように装着時に筒体を吸引パイプ内に押し込むといった作業が不要であるため、吸引パイプに負担をかけることもない。また、本発明の害虫捕獲器は、電気掃除機の吸引力によって吸引パイプの吸込口に装着されるため、吸引パイプの大きさに拘わらず使用することができる。また、本発明の害虫捕獲器は、吸引パイプ内に挿し込まれる筒体を有しておらず、捕獲袋が可撓性を有しているので、コンパクトに折り畳むことができる。
【発明を実施するための最良の形態】
【００２８】
以下、適宜図面が参照されて、本発明の好ましい実施形態が説明される。なお、本実施形態は本発明の一例にすぎず、本発明の要旨を変更しない範囲で適宜変更され得る。
【００２９】
図１は、本発明の一実施形態に係る害虫捕獲器１０の外観構成を示す模式図であり、フランジ４０が第１姿勢に維持された状態を示す。
【００３０】
［害虫捕獲器１０］
害虫捕獲器１０は、電気掃除機（不図示）の吸引力を利用して害虫１５（図４参照）を捕獲するための道具である。電気掃除機（以下「掃除機」と略称する。）は、一般家庭で使用される周知のものである。図１に示されるように、害虫捕獲器１０は、掃除機の吸引パイプ５１の吸込口５６に装着されて使用される。ここで、害虫１５は、人間の生活に直接または間接的に害を与える昆虫のうち、人間が目視で確認できるゴキブリやアブラムシ等の比較的大きな昆虫である。図１に示されるように、害虫捕獲器１０は、捕獲袋２０（本発明の捕獲袋の一例）と、フランジ４０（本発明のフランジの一例）と、スポンジボール４８（本発明の弾性部材の一例）と、を備えている。
【００３１】
［捕獲袋２０］
図２は、捕獲袋２０の断面構造を示す模式図であり、捕獲袋２０が収縮した状態を示す。なお、図２では、捕獲袋２０の一部及びフランジ４０が省略されている。
【００３２】
捕獲袋２０は、害虫１５を捕獲するためのものである。害虫１５は、掃除機の吸引力によって捕獲袋２０内に吸い込まれ、後述する内奥部２７（本発明の内奥部の一例、図２参照）で拘束される。捕獲袋２０は、例えば布又は紙などのメッシュ状のシート２３が開口２１を有する袋状に形成されたものである。このため、捕獲袋２０は、可撓性を有しており、コンパクトに折り畳むことが可能である。この捕獲袋２０は、外力を受けていない状態において、図１に示されるように、概ねすり鉢形状となるように形成されている。すなわち、捕獲袋２０は、捕獲袋２０内の空間が開口２１から内奥部２７へ向けて徐々に狭くなるような形状に形成されている（図２参照）。これにより、捕獲された害虫１５が内奥部２７へ誘導されやすくなっている。なお、捕獲袋２０の形状はすり鉢形状に限定されるものではなく、例えば内奥部２７を底とする有底筒状に形成されていいてもよい。
【００３３】
捕獲袋２０は、メッシュ状のものであるため、通気性を有している。すなわち、捕獲袋２０には空気を流通させるための通気孔（不図示）が多数設けられている。この通気孔が大きすぎると、害虫１５が通気孔を通り抜けて掃除機本体（不図示）側へ吸い込まれてしまう。逆に、通気孔が小さすぎると、捕獲袋２０内で生じる吸引力が弱くなるので、害虫１５を捕獲しにくくなる。したがって、捕獲袋２０の通気孔の大きさは、これらのことを考慮して適切な大きさに設定されている。
【００３４】
捕獲袋２０の内奥部２７（図２参照）は、捕獲袋２０内に吸い込まれた害虫１５が誘導される部分である。この内奥部２７には、粘着シート３５（本発明の粘着材の一例）が設けられている。粘着シート３５は、害虫捕獲器１０の未使用時にはその粘着面が保護シート（不図示）によって覆われている。これにより、捕獲袋２０が粘着シート３５に粘着することが防止されている。保護シートが剥がされると、粘着シート３５の粘着面が露出される。
【００３５】
図２に示されるように、捕獲袋２０には、収縮材としてのゴム紐２２が編み込まれている。ゴム紐２２は、その一端が捕獲袋２０の開口２１付近に固定され、他端が後述する絞り部３０（本発明の絞り部の一例）付近に固定されている。ゴム紐２２は、内奥部２７が第１向き１７（図２参照）へ移動したときに伸張することで、内奥部２７を開口２１側へ引き寄せる弾性力を蓄える。ここで、第１向き１７は、内奥部２７が開口２１から離れる向きである。ゴム紐２２は、内奥部２７に対する外力が除かれたときに収縮することで、内奥部２７を開口２１側へ引き寄せる。このように、捕獲袋２０は、第１向き１７へ弾性変形が可能に構成されている。
【００３６】
図２に示されるように、捕獲袋２０の開口２１（図１参照）と内奥部２７との間の中間部位には、絞り部３０が設けられている。ここでの中間部位は、開口２１と内奥部２７との中間位置に限定されるものではなく、本実施形態のように内奥部２７寄りの位置であってもよいし、開口２１寄りの位置であってもよい。絞り部３０は、本実施形態では、捕獲袋２０の内側に筒状部材３４（本発明の筒状部材の一例）が配置されることによって形成されている。捕獲袋２０は、例えば接着剤などによって筒状部材３４の外周面に固定されている。筒状部材３４は、大径部３１、小径部３２、及び大径部３３を有している。小径部３２の内径は、大径部３１の内径及び大径部３３の内径よりも小さく設定されている。このような筒状部材３４が捕獲袋２０の内側に配置されることにより、絞り部３０は、くびれるように形成されている。なお、小径部３２の内径は、害虫１５が容易に通過しない程度の大きさに設定されている。すなわち、小径部３２の周方向の長さが害虫１５の胴回りの長さよりも小さくなるように設定されている。この小径部３２の内面３７は、平滑面に形成されている。
【００３７】
絞り部３０は、本実施形態ではゴムで構成されており、弾性変形が可能である。このため、絞り部３０は、掃除機の吸引力を受けて小径部３２の内径が大きくなるように弾性変形する。すなわち、絞り部３０は、径方向１８（図２参照）への弾性変形が可能である。ここで、径方向１８は、絞り部３０の小径部３２が拡径する方向である。
【００３８】
［フランジ４０］
図３は、フランジ４０の平面図である。
【００３９】
捕獲袋２０の開口２１の周縁部は、例えば接着剤によってフランジ４０に固定されている。フランジ４０は、厚紙が中空の円盤状に形成されたものである。このフランジ４０は、害虫捕獲器１０を吸引パイプ５１に装着するためのものである。フランジ４０の内径寸法は、吸引パイプ５１の吸込口５６（図１参照）の内径寸法よりも若干小さく設定されている。フランジ４０の外径寸法は、吸込口５６の外径寸法よりも若干大きく設定されている。このため、フランジ４０が後述する第１姿勢に維持された状態（図１参照）では、吸引パイプ５１の吸込口５６がフランジ４０によって覆われる（図４参照）。
【００４０】
なお、フランジ４０は、その内径寸法が吸込口５６の外径寸法よりも大きく設定されていてもよい。また、本実施形態では、フランジ４０が円盤状のものである場合について説明するが、フランジ４０の形状はこれに限定されるものではない。フランジ４０は、例えば中空の矩形状のものであってもよい。
【００４１】
フランジ４０は、第１部位４１（本発明の一対の板片の一方）及び第２部位４２（本発明の一対の板片の他方）からなる。第１部位４１と第２部位４２とは、曲折部４４（本発明の曲折部の一例）を介して連続している。この曲折部４４には、ミシン目線が形成されているので、第１部位４１及び第２部位４２は、曲折部４４を介して互いに回動可能である。このため、フランジ４０は、第１姿勢（図１参照）と第２姿勢（図６参照）との間で姿勢変化が可能である。フランジ４０が第１姿勢に維持された状態では、捕獲袋２０の開口２１が開放される。フランジ４０は、第１部位４１と第２部位４２とが互いに当接するように曲折部４４で回動される（折り曲げられる）ことによって第２姿勢となる。フランジ４０が第２姿勢に維持された状態では、捕獲袋２０の開口２１がフランジ４０によって閉塞される。
【００４２】
第１部位４１の表面には、粘着シート４７（本発明の規制部材の一例）が設けられている。この粘着シート４７は、第１部位４１の表面のほぼ全域にわたって設けられている。粘着シート４７の粘着面は、害虫捕獲器１０の未使用時には保護シート（不図示）で覆われている。この保護シートが剥がされることにより、粘着シート４７の粘着面が露出される。この状態でフランジ４０が第１姿勢から第２姿勢へと姿勢変化されると、第１部位４１と第２部位４２とが固定される（図６参照）。これにより、フランジ４０の第２姿勢から第１姿勢への姿勢変化が規制される。
【００４３】
［スポンジボール４８］
スポンジボール４８（図１参照）は、捕獲された害虫１５が捕獲袋２０から這い出すことを防止するためのものである。スポンジボール４８は、本実施形態では、弾性変形が可能なスポンジが球形状に形成されたものである。このため、スポンジボール４８は、通気性を有している。スポンジボール４８は、絞り部３０の内側の空間よりも若干大きくなるように構成されている。
【００４４】
［害虫捕獲器１０の使用方法］
以下、害虫捕獲器１０の使用方法について説明する。図４は、吸引パイプ５１を示す模式図であり、害虫捕獲器１０が装着された状態を示す。図５は、捕獲袋２０の断面構造を示す模式図であり、捕獲袋２０が伸張した状態を示す。図６は、害虫捕獲器１０の外観構成を示す模式図であり、フランジ４０が第２姿勢に維持された状態を示す。なお、図５では、捕獲袋２０の一部、ゴム紐２２、及びフランジ４０が省略されている。
【００４５】
害虫捕獲器１０の使用者（以下、単に「使用者」という。）は、粘着シート３５及び粘着シート４７の保護シートを剥がす。これにより、粘着シート３５及び粘着シート４７の粘着面が露出される。次に、使用者は、掃除機の電源を入れる。これにより、吸引パイプ５１内に吸引力が発生する。使用者は、フランジ４０が第１姿勢に維持された状態で吸引パイプ５１の吸込口５６を覆うように害虫捕獲器１０を配置する。これにより、捕獲袋２０が掃除機の吸引力を受けて吸引パイプ５１内へ引き込まれる。この吸引力は捕獲袋２０を介してフランジ４０に作用するので、フランジ４０は、吸引パイプ５１の吸込口５６の周縁に当接した状態となる（図４参照）。このように、害虫捕獲器１０は、掃除機の吸引力によって吸引パイプ５１の吸込口５６に装着される。
【００４６】
捕獲袋２０にはゴム紐２２が設けられているので、捕獲袋２０は、掃除機の吸引力を受けて内奥部２７が開口２１から離れるように伸張する（図５参照）。これにより、捕獲袋２０の開口２１から内奥部２７までの距離が長くなる。また、掃除機の吸引力によって絞り部３０の小径部３２の内径が一時的に大きくなる。
【００４７】
使用者が吸引パイプ５１を操作して害虫捕獲器１０の開口２１を害虫１５に近付けると、害虫１５が捕獲袋２０の開口２１内へ吸い込まれる。捕獲袋２０の開口２１から内奥部２７までの距離が長くなっているので、害虫１５は、捕獲袋２０内を加速しながら内奥部２７へと誘導される。その際、絞り部３０の小径部３２の内径が一時的に大きくなっており、且つ小径部３２の内面３７が平滑面であるため、害虫１５は、絞り部３０に引っ掛かることなく内奥部２７へと円滑に誘導される。この内奥部２７には粘着シート３５が設けられているので、害虫１５は、粘着シート３５に粘着することによって内奥部２７に拘束される。
【００４８】
このようにして害虫１５が内奥部２７に捕獲された後に、使用者は、開口２１内にスポンジボール４８（図１参照）を投入する。スポンジボール４８は、掃除機の吸引力によって弾性変形しながら絞り部３０の内側を通過して内奥部２７に進入する。これにより、害虫１５が内奥部２７の粘着シート３５に押し付けられるとともに、絞り部３０の内側の空間が塞がれて害虫１５が内奥部２７に封じ込められる（図５参照）。したがって、害虫１５の動きにより使用者にとって不快な音がすることがない。また、万一害虫１５が粘着シート３５に十分に粘着しなかったとしても、害虫１５が内奥部２７から開口２１付近まで移動することが防止される。なお、絞り部３０の内側がスポンジボール４８で塞がれるが、スポンジボール４８は通気性を有しているので、吸引パイプ５１が詰まって掃除機に負担がかかることはない。
【００４９】
このようにして害虫１５が内奥部２７に拘束された後に、使用者は、フランジ４０を第１姿勢（図４参照）から第２姿勢（図６参照）へと姿勢変化させる。すなわち、使用者は、第１部位４１の表面と第２部位４２の表面とが当接するように、フランジ４０を曲折部４４で折り曲げる。これにより、第１部位４１と第２部位４２とが粘着シート４７で固定され、フランジ４０の第２姿勢から第１姿勢への姿勢変化が規制される。その結果、捕獲袋２０の開口２１が確実に閉塞されるので、万一害虫１５が内奥部２７を抜け出して開口２１付近まで移動したとしても、害虫１５が捕獲袋２０から這い出すことはない。
【００５０】
使用者が掃除機の電源を切ることにより、掃除機の吸引力がなくなる。これにより、フランジ４０を吸込口５６の周縁に押し付ける力がなくなるので、害虫捕獲器１０は吸引パイプ５１から容易に外れる。また、掃除機の吸引力がなくなると、径方向１８へ拡径していた絞り部３０の小径部３２の内径が元に戻る。これにより、小径部３２の周方向の長さが害虫１５の胴回りの長さよりも小さくなるので、内奥部２７側から開口２１側への害虫１５の移動が防止される。
【００５１】
なお、使用者は、スポンジボール４８を投入せず、フランジ４０を第１姿勢から第２姿勢へと姿勢変化させる前に掃除機の電源を切ってもよい。掃除機の電源が切られると、ゴム紐２２の弾性力によって内奥部２７が開口２１と近接する方向へ移動する。したがって、使用者は、フランジ４０が第１姿勢に維持された状態で、内奥部２７に害虫１５が拘束されていることを目視で確認することができる。
【００５２】
図７は、紐４６を備える害虫捕獲器１０の外観構成を示す模式図であり、フランジ４０が第２姿勢に維持された状態を示す。
【００５３】
図７に示されるように、フランジ４０に紐４６が設けられていてもよい。紐４６の両端は、第１部位４１及び第２部位４２の裏面に例えば接着剤でそれぞれ固定されている。使用者は、掃除機の電源を切った後に紐４６を掴んで、捕獲袋２０やフランジ４０に触れることなく害虫捕獲器１０をゴミ箱に捨てることができる。
【００５４】
［本実施形態の作用効果］
以上説明したように、害虫捕獲器１０は、掃除機の吸引力によって吸引パイプ５１に装着され、この吸引力がなくなることによって吸引パイプ５１から外れる。したがって、害虫捕獲器１０の着脱は、従来の害虫捕獲器に比べて極めて容易である。つまり、害虫捕獲器１０は、掃除機の吸引力を利用して、害虫の捕獲のみならず吸引パイプ５１への着脱が可能である。
【００５５】
また、害虫捕獲器１０は、従来の害虫捕獲器のように装着時に筒体を吸引パイプ５１内に押し込むといった作業が不要であるため、吸引パイプ５１に負担をかけることがない。
【００５６】
また、害虫捕獲器１０は、掃除機の吸引力によって吸引パイプ５１の吸込口５６に装着されるため、吸引パイプ５１の大きさ（内径寸法）に拘わらず使用することができる。また、害虫捕獲器１０は、筒体を吸引パイプ５１内に嵌め込むタイプのものではないため、吸込口５６が円形でなくても使用することができる。
【００５７】
また、害虫捕獲器１０は、吸引パイプ５１内に挿し込まれる筒体を有しておらず、且つ、捕獲袋２０が可撓性を有しているので、コンパクトに折り畳むことができる。
【００５８】
また、害虫捕獲器１０は、掃除機の電源を入れたまま開口２１を閉じることができるので、開口２１を介して害虫１５が逃げ出すことを確実に防止することができる。
【００５９】
なお、害虫捕獲器１０は、捕獲袋２０に代えて捕獲袋６０（本発明の捕獲袋の一例）を備えていていてもよい。図８は、捕獲袋６０の断面構造を示す模式図であり、（Ａ）は捕獲袋６０が収縮した状態を示し、（Ｂ）は捕獲袋６０が伸張した状態を示す。なお、図８では、フランジ４０が省略されている。
【００６０】
捕獲袋６０は、第１向き１７へ弾性変形が可能な蛇腹形状に形成されている。ここでの第１向き１７は、内奥部６７（本発明の内奥部の一例）が開口２１から離れる向きである。捕獲袋６０は合成樹脂で構成されており、例えばブロー成形により形成され得る。
【００６１】
図８（Ａ）に示されるように、捕獲袋６０は、外力を受けていない状態では、内奥部２７が開口２１と近接するように収縮している。使用者が掃除機の電源を入れることにより、内奥部６７が掃除機の吸引力を受けて開口２１から離れる向き（図８の右向き）へ移動する（図８（Ｂ）参照）。これにより、捕獲袋２０は、内奥部６７を開口２１へ近付ける向き（図８の左向き）への弾性力を蓄える。掃除機の電源が切られると、捕獲袋６０は、蓄えた弾性力によって元の形状に復帰してコンパクトになる。
【００６２】
なお、本発明は、前述の実施形態に限定されるものではなく、以下の形態であってもよい。すなわち、本実施形態では、第１部位４１及び第２部位４２が粘着シート４７によって固定される形態について説明したが、第１部位４１と第２部位４２とが他の規制部材（例えば洗濯バサミ）によって固定されてもよい。この場合、洗濯バサミを外すことによってフランジ４０の第２姿勢から第１姿勢への姿勢変化が可能となるため、害虫捕獲器１０を再利用することができる。
【００６３】
また、本実施形態では、フランジ４０が厚紙で構成されている場合について説明したが、これに代えて、本発明のフランジが金属で構成されていてもよい。この場合、本発明の第１部位、第２部位、及び規制部材をいわゆるがま口のように構成することで、フランジの第２姿勢から第１姿勢への姿勢変化を規制することが可能である。
【００６４】
また、捕獲袋２０は、必ずしも第１向き１７へ弾性変形が可能に構成されていなくてもよい。この場合、捕獲袋２０にゴム紐２２を編み込む必要がないため、害虫捕獲器１０をより安価に製造することができる。
【００６５】
本実施形態では、捕獲袋２０の内側に絞り部３０が設けられている形態について説明したが、害虫１５を通過させるための空間を残して、捕獲袋２０の開口２１と内奥部２７との間を紐で縛るといった方法で本発明の絞り部が構成されてもよい。つまり、シート２３と紐で絞り部を構成してもよい。この場合、害虫捕獲器１０をさらに安価に製造することができる。
【００６６】
また、害虫捕獲器１０が装着される掃除機は、商用電源によって駆動するものに限定されるものではない。すなわち、掃除機は、例えば屋外でも使用可能な充電式の片手持ち運び型のものであってもよい。害虫捕獲器１０をこのような掃除機に装着すれば、害虫捕獲器１０を例えばセミ取りなどの昆虫採集に使用することも可能である。この場合、捕獲した虫を捕獲袋２０から取り出せるように、内奥部２７に粘着シート３５を設けないようにすることが好ましい。
【図面の簡単な説明】
【００６７】
【図１】図１は、本発明の一実施形態に係る害虫捕獲器１０の外観構成を示す模式図であり、フランジ４０が第１姿勢に維持された状態を示す。
【図２】図２は、捕獲袋２０の断面構造を示す模式図であり、捕獲袋２０が収縮した状態を示す。
【図３】図３は、フランジ４０の平面図である。
【図４】図４は、吸引パイプ５１を示す模式図であり、害虫捕獲器１０が装着された状態を示す。
【図５】図５は、捕獲袋２０の断面構造を示す模式図であり、捕獲袋２０が伸張した状態を示す。
【図６】図６は、害虫捕獲器１０の外観構成を示す模式図であり、フランジ４０が第２姿勢に維持された状態を示す。
【図７】図７は、紐４６を備える害虫捕獲器１０の外観構成を示す模式図であり、フランジ４０が第２姿勢に維持された状態を示す。
【図８】図８は、捕獲袋６０の断面構造を示す模式図であり、（Ａ）は捕獲袋６０が収縮した状態を示し、（Ｂ）は捕獲袋６０が伸張した状態を示す。
【符号の説明】
【００６８】
１０・・・害虫捕獲器（本発明の害虫捕獲器の一例）
１５・・・害虫
１７・・・第１向き
１８・・・径方向
２０，６０・・・捕獲袋
２１・・・開口
２３・・・シート
２７，６７・・・内奥部
３０・・・絞り部（本発明の絞り部の一例）
３４・・・筒状部材
３５・・・粘着シート（本発明の粘着材の一例）
３７・・・内面
４０・・・フランジ
４１・・・第１部位（本発明の一対の板片の一方）
４２・・・第２部位（本発明の一対の板片の他方）
４４・・・曲折部（本発明の曲折部の一例）
４７・・・粘着シート（本発明の規制部材の一例）
４８・・・スポンジボール（本発明の弾性部材の一例）
５１・・・吸引パイプ
５６・・・吸込口